(57)【特許請求の範囲】
【請求項１】
前方の米取出口側を低くし、後方の石排出口側を高くしてなる傾斜姿勢で揺動可能に支持され通気性を有する選別スクリーンを設け、
選別スクリーンと同様な傾斜姿勢で前方の残米取出口側を低くし、選別スクリーンに連設されて揺動可能に支持され通気性を有する残米回収スクリーンを設け、
選別スクリーンには左右に側板を起立させ、後方部において前記側板の間隔が徐々に小さくなるように接近させて石などの異物を寄せる石寄せ部を形成し、石寄せ部の最奥部底面に石排出シャッタにより開閉自在な前記石排出口を設け、
残米回収スクリーンの外側にもガイド板を設けて残米回収スクリーン上に残米回収通路を形成し、
前記選別スクリーンの前記残米回収スクリーンに接する側板の後方部における石寄せ部に臨む箇所に少なくとも１つの残米回収用連通口を設けて、前記選別スクリーン側と前記残米回収スクリーンとを残米取出シャッタにより開閉自在に連通し、
選別スクリーンおよび残米回収スクリーンの下方から上方に空気を吹き上げかつ両スクリーンを揺動させながら選別スクリーン上に未処理米を供給することで閉鎖状態の石排出口側に未処理米に含まれる石などの異物を溜め、かつ米取出口から米を取出すことで米と異物とを比重選別し、
比重選別後に残米回収用連通口を開けて選別スクリーン上に残った残米を残米回収通路を介して残米取出口から回収する石抜装置であって、
比重選別終了時に石排出口を開け、その後に石排出口を閉じるとともに残米回収用連通口を開けて残米回収動作を行うように構成し、
石寄せ部奥部に、石排出口排出幅と略同幅で両側の側板が略平行に配置されて石排出口よりも前側に延びる狭幅通路を形成し、
比重選別終了時に、一旦石排出口を開けて石排出動作を行い、その後に石排出口を閉じ、この石排出口の閉鎖動作から所定時間経過後に、残米回収用連通口を開けて残米回収動作を行い、さらにこの後、残米回収用連通口を閉じ、石排出口を開けて石排出動作を行うように構成した石抜装置。
【請求項２】
石排出口と狭幅通路とを合わせた前後方向の長さが、石排出口の排出幅寸法の１．５倍から２．５倍となるように狭幅通路が形成されている請求項１に記載の石抜装置。
【請求項３】
側板における残米回収用連通口に臨む厚み部分に設けられて、石などの異物が引っ掛かることを防止する引っ掛かり防止部を備えた請求項１または２に記載の石抜装置。
【発明の詳細な説明】
【０００１】
【発明の属する技術分野】
本発明は、玄米や白米などの米から石などの異物を除去する石抜装置に関するものである。
【０００２】
【従来の技術】
精米装置の前段や、精米装置の後段に配設され、玄米や白米などの米から石などの異物をこれらの比重差を利用して除去する石抜装置は既に知られている。
【０００３】
この石抜装置は、前方の米取出口側を低くし、後方の石排出口側を高くしてなる傾斜姿勢で揺動可能に支持した通気性を有するスクリーンを設けるとともに、このスクリーンの下方から上方に空気を吹き上げかつスクリーンを揺動させながらスクリーン上に未処理米を供給することで、米取出口から米を排出させ、閉鎖状態の石排出口側に未処理米に含まれる石などの異物を溜めて米と異物とを比重選別するようになっている。
【０００４】
この種の石抜装置では、スクリーンへの処理米の供給がなくなると、米が米取出口側に押し出されないため、米がスクリーン全面にわたって残ってしまう。この状態のまま、次回の石抜処理を行うとスクリーン上の残米と次回の未処理米とが混ぜ合わされてしまうので、従来の石抜装置では、スクリーン全面にわたって残った残米を、異物とともに石排出口から排出して除去しなくてはならない欠点があった。
【０００５】
この欠点を解消すべく、除去する残米の量を減少させるように図ったものが、特開平１１−２８４２５号公報に開示されている。
この石抜装置では、図６〜図９に示すように、左右に側板１，２を起立させ、前方を低く傾斜した選別スクリーン３の前端部に米取出口４を設け、この選別スクリーン３に切起し舌片を多数設けて、その表面を凹凸面に形成すると共に、選別スクリーン３の高い後方部方向に向く多数の通気孔５を開口させて、下方に配置した風車箱１０からの空気が斜め後方へ吹き上げるようにしている。そして、選別スクリーン３の後方部において側板１，２の左右の間隔が徐々に小さくなるように接近させて石寄せ部６を形成し、石寄せ部６の最奥部底面に、石排出シャッタ７にて開閉自在な石排出口８を設けている。
【０００６】
また、選別スクリーン３に隣接して残米排出スクリーン１１を同じ傾斜姿勢で一体に設け、その低い前端部に残米取出口１２を設け、この残米取出口１２以外の残米排出スクリーン１１の外側にガイド板１３を起立させている。そして、残米排出スクリーン１１にも多数の通気孔１４を形成し、この通気孔１４からは、下方に配置した風車箱１０からの空気が残米排出スクリーン１１に直交して吹き上げるようにしている。
【０００７】
さらに、選別スクリーン３と残米排出スクリーン１１とを隔てる側板２における石排出口８より少し離れた箇所に２つの残米回収用連通口１５、１６を設けて連通し、選別スクリーン３および残米排出スクリーン１１の下部に風車箱１０が一体に取付けられてなる選別部２０を揺動機構２１により斜め上下に揺動させる。残米回収用連通口１５、１６にはそれぞれ前後方向に出退することで開閉自在の残米取出シャッタ１７が設けられている。なお、２３は残米排出スクリーン１１に立設して固定されて残米取出シャッタ１７を出退自在に案内するシャッタガイドである。
【０００８】
このような構成において、選別スクリーン３および残米排出スクリーン１１の下方から上方に空気を吹き上げかつ両スクリーン３、１１を揺動させながら選別スクリーン３上に未処理米を供給することで、図９などに示すように、空気により押し上げられた米Ｘは米取出口４から順次押し出され、石などの比重が比較的重い異物Ｙは選別スクリーン３の揺り上げ作用によって石寄せ部６に寄せられ、石排出口８の上に集まることとなる。その後、未処理米の供給が停止された時点で、石排出口８の石排出シャッタ７を所定時間開けて、石などの異物Ｙを排出して破棄し、これと同時に残米取出シャッタ１７を移動させて各残米回収用連通口１５、１６を開けることで、選別スクリーン３における各残米回収用連通口１５、１６よりも前方寄りに滞留している残米Ｘを各残米回収用連通口１５、１６を通して残米排出スクリーン１１上の残米回収通路１８へ導き、残米取出口１２から残米Ｘを取出して回収するようになっている。
【０００９】
【発明が解決しようとする課題】
しかしながら、このように残米回収用連通口１５、１６を通して残米Ｘを回収する石抜装置においては、側板２が石排出口８のすぐ前方箇所から横方向に広がるような形状に配設されているため、石排出口８の石排出シャッタ７を開ける直前においても、石排出口８が設けられている箇所から石寄せ部６にかけての比較的広い範囲で、石などの異物が循環しており（図９（ａ）において、矢印にて流れ状態を示す）、上述のように石排出口８の石排出シャッタ７を開けると同時に各残米回収用連通口１５、１６の残米取出シャッタ１７を開けてしまうと、石排出口８に近い残米回収用連通口１５、１６からその近傍箇所にある石などの異物Ｙが残米回収用連通口１５、１６を通って残米排出スクリーン１１上に流れ出て、残米取出口１２から残米Ｘに混じって排出されることがある。
【００１０】
したがって、このような不具合を避けるべく、石排出口８の石排出シャッタ７を開けてから所定時間経過するまでは、各残米回収用連通口１５、１６を開けず、石排出口８が設けられている箇所から石寄せ部６にかけての比較的広い範囲にある石などの異物Ｙを全て排出した後に、各残米回収用連通口１５、１６を開けて残りの残米Ｘを残米回収通路１８を通して残米取出口１２から排出することが考えられる。
【００１１】
しかしながら、このように構成した場合でも、石排出口８が設けられている箇所から石寄せ部６にかけての比較的広い範囲で循環している石などの異物Ｙを全て石排出口８から排出しようとすると、石排出シャッタ７を長い時間にわたり開けなければならず、この場合には、石などの異物Ｙとともに多くの残米Ｘが石排出口８から排出されてしまう。
【００１２】
また、選別スクリーン３と残米排出スクリーン１１との境界部には、選別スクリーン３の側板２と、この側板２に沿って設けられた残米排出スクリーン１１の側板１９とが設けられており、図９（ａ）に示すように、残米回収用連通口１５、１６の箇所でもこれらの厚み分の箇所が臨んでいるが、石寄せ部６から後方へ移動しかけている石などの異物Ｙが、これらの側板２、１９の厚み部分で引っ掛かってしまい、残米回収用連通口１５、１６を開けた際に、引っ掛かっていた石などの異物Ｙが残米回収用連通口１５、１６を通って残米排出スクリーン１１上に流れ出て、残米取出口１２から残米Ｘに混じって排出されることがあった。
【００１３】
本発明は上記課題を解決するもので、選別スクリーン上に残米が残ることを防止しながら、残米回収用連通口から石などの異物が残米排出スクリーン側に流れ出ることを防止でき、しかも石排出口から排出する異物の残米に対する割合を高めることができて、石排出口から排出される残米の量を最小限に抑えられる石抜装置を提供することを目的とするものである。
【００１４】
【課題を解決するための手段】
上記課題を解決するために、請求項１記載の発明は、前方の米取出口側を低くし、後方の石排出口側を高くしてなる傾斜姿勢で揺動可能に支持され通気性を有する選別スクリーンを設け、選別スクリーンと同様な傾斜姿勢で前方の残米取出口側を低くし、選別スクリーンに連設されて揺動可能に支持され通気性を有する残米回収スクリーンを設け、選別スクリーンには左右に側板を起立させ、後方部において前記側板の間隔が徐々に小さくなるように接近させて石などの異物を寄せる石寄せ部を形成し、石寄せ部の最奥部底面に石排出シャッタにより開閉自在な前記石排出口を設け、残米回収スクリーンの外側にもガイド板を設けて残米回収スクリーン上に残米回収通路を形成し、前記選別スクリーンの前記残米回収スクリーンに接する側板の後方部における石寄せ部に臨む箇所に少なくとも１つの残米回収用連通口を設けて、前記選別スクリーン側と前記残米回収スクリーンとを残米取出シャッタにより開閉自在に連通し、選別スクリーンおよび残米回収スクリーンの下方から上方に空気を吹き上げかつ両スクリーンを揺動させながら選別スクリーン上に未処理米を供給することで閉鎖状態の石排出口側に未処理米に含まれる石などの異物を溜め、かつ米取出口から米を取出すことで米と異物とを比重選別し、比重選別後に残米回収用連通口を開けて選別スクリーン上に残った残米を残米回収通路を介して残米取出口から回収する石抜装置であって、比重選別終了時に石排出口を開け、その後に石排出口を閉じるとともに残米回収用連通口を開けて残米回収動作を行うように構成し、石寄せ部奥部に、石排出口排出幅と略同幅で両側の側板が略平行に配置されて石排出口よりも前側に延びる狭幅通路を形成し、比重選別終了時に、一旦石排出口を開けて石排出動作を行い、その後に石排出口を閉じ、この石排出口の閉鎖動作から所定時間経過後に、残米回収用連通口を開けて残米回収動作を行い、さらにこの後、残米回収用連通口を閉じ、石排出口を開けて石排出動作を行うように構成したことを特徴とする。
【００１５】
この構成により、石寄せ部奥部に、石排出口排出幅と略同幅で両側の側板が略平行に配置されて石排出口よりも前側に延びる狭幅通路が形成されているため、石排出口から狭幅通路にかけて集中して石などの異物が寄せられ、この結果、石排出口を比較的短い時間だけ開けても、石などの異物を全て石排出口から排出させることができ、しかも石排出口から排出する異物の残米に対する割合を高めることができて、石排出口から排出される残米の量を減少させることができる。
【００１７】
異物が多量にあった場合などには、一旦石排出口を開けて異物を排出し、その後、所定時間経過して石排出口を閉じた際でも、一部の異物が残米回収用連通口の近傍に残ったり、循環していたりする場合がある。このような際に、石排出口の閉鎖動作と同時に残米回収用連通口を開けて残米回収動作を行うと、残米に異物が混じった状態で、残米回収用連通口から回収されてしまうおそれがある。これに対して、上記のように、石排出口の閉鎖動作から所定時間経過するまで残米回収用連通口を開けないように構成することで、前記石排出動作の際に排出されなかった異物が石排出口ならびにその近傍箇所に寄せられる。この結果、その後に残米回収用連通口を開けて残米回収動作を行った際には、異物が混じっていない残米だけが確実に回収されることとなる。
【００１８】
請求項２記載の発明は、請求項１に記載の石抜装置において、石排出口と狭幅通路とを合わせた前後方向の長さが、石排出口の排出幅寸法の１．５倍から２．５倍となるように狭幅通路が形成されていることを特徴とする。
【００１９】
この構成により、狭幅通路に石などの異物を確実に寄せて石などの異物を石排出口から確実に排出させることができるだけでなく、狭幅通路に寄せられる米を最小限に抑えることができ、この結果、石排出口から排出される残米の量を最小限に抑えることができる。
【００２０】
請求項３記載の発明は、請求項１または２に記載の石抜装置において、側板における残米回収用連通口に臨む厚み部分に設けられて、石などの異物が引っ掛かることを防止する引っ掛かり防止部を備えたことを特徴とする。
【００２１】
この構成により、引っ掛かり防止部にて、側板における残米回収用連通口に臨む厚み部分に石などの異物が引っ掛かることが防止されるため、残米回収用連通口を開けた際に、引っ掛かっていた石などの異物が残米に混じって残米回収通路に流れていくことを防止できるとともに、石排出口から排出する異物の残米に対する割合を高めることができる。
【００２２】
【発明の実施の形態】
以下、本発明の実施の形態について、図面に基き説明する。なお、従来の石抜装置の構成部品とほぼ同様な機能のものには同じ符号を付して、その説明は省略する。
【００２３】
図１、図２に示すように、この石抜装置３０においては、石寄せ部６の奥部に、石排出口８の排出幅と略同幅で（但し、石排出口８の排出幅Ｈ１は従来の石排出口８の排出幅Ｈ２（図８（ａ）参照）よりも小さい幅とする方が望ましい）、選別スクリーン３の両側の側板１、２が平行に配置されて石排出口８の箇所から前側に延びる狭幅平行通路３１が形成されている。そして、この狭幅平行通路３１の前端は後方の残米回収用連通口１６の近傍まで延設されている。具体的には、石排出口８と狭幅平行通路３１とを合わせた前後方向の長さＬ（＝Ｌ１＋Ｌ２）が、石排出口８の排出幅寸法Ｈ１の１．５倍から２．５倍となるように狭幅平行通路３１が形成されている。
【００２４】
また、図２に示すように、側板２における各残米回収用連通口１５、１６に臨む後方側の厚み部分には、石などの異物Ｙが引っ掛かることを防止する引っ掛かり防止ガイド３２が設けられている。この引っ掛かり防止ガイド３２は、残米回収用連通口１５、１６の後方側箇所における残米取出シャッタ１７が出退する位置からその近傍の選別スクリーン３の側板２における残米回収用連通口１５に臨む厚み部分よりも内側となる位置まで傾斜して延設されている。また、残米排出スクリーン１１上の後部には残米阻止板３４が立設され、残米回収用連通口１５、１６を通して残米排出スクリーン１１上に流れた残米Ｘが後方へ流れないように阻止している。
【００２５】
また、この石抜装置３０においては、未処理米の供給が終了して比重選別を終えた後に石排出口８を所定時間開けて１回目の石排出動作を行い、その後に石排出口８を閉じるとともに残米回収用連通口１５、１６を所定時間開けて残米回収動作を行う。さらに、この後、残米回収用連通口１５、１６を閉じ、石排出口８を所定時間開けて２回目の石排出動作を行うよう構成されている。
【００２６】
この場合に、１回目の石排出動作を行って石排出口８を閉じる際に、この石排出口８の閉鎖動作と残米回収用連通口１５、１６の開口動作とを同時に行ってもよいが、これに限るものではなく、図３に示すように、１回目の石排出動作を行って石排出口８を閉じた際に、石排出口の閉鎖動作から所定時間（例えば５秒間）経過するまで残米回収用連通口１５、１６を開けないように構成し、前記時間が経過した後に残米回収用連通口１５、１６を開けるように構成することが好ましい。
【００２７】
すなわち、図３に示すように、石抜装置３０への未処理米を溜めるタンクの下限位置に配置されている下限レベル計（図示せず）が、タンクに未処理米がなくなったことを検知してから、所定時間（例えば１５秒）経過した時点で、石排出口８を例えば２秒間だけ開けて１回目の石排出動作を行う。そして、石排出口８を閉じた時点から例えば５秒間は残米回収用連通口１５、１６を開けないように構成し、前記時間が経過した後に残米回収用連通口１５、１６を開けるようにする。この後、所定時間（例えば３０秒間）残米回収用連通口１５、１６を開けて残米回収動作を行う。
【００２８】
上記構成において、比重選別動作時には、選別スクリーン３および残米排出スクリーン１１の下方から上方に空気を吹き上げかつ両スクリーン３、１１を揺動させながら選別スクリーン３上に未処理米を供給することで、空気により押し上げられた米Ｘは米取出口４から順次押し出され、比重が比較的重い石などの異物Ｙは選別スクリーン３の揺り上げ作用によって石寄せ部６に寄せられ、石排出口８の上に集まることとなる。
【００２９】
この場合に、選別スクリーン３上において側板２に沿ってせり上がっていく石などの異物Ｙは、途中の残米回収用連通口１５、１６の箇所で、ここを閉鎖する残米取出シャッタ１７に沿ってさらにせり上がる。従来の石抜装置においては、この際に、石などの異物Ｙが側板２、１９の厚み部分で引っ掛かってしまい、その後の残米回収動作を行った時に残米に混じって回収されるという不具合があった。しかし、この石抜装置においては、図２に示すように、側板２、１９の厚み部分に対応する箇所が引っ掛かり防止ガイド３２にて覆われ、この引っ掛かり防止ガイド３２が、残米取出シャッタ１７の出退位置から側板２の厚み部分内側にかけて傾斜して延設されているため、石などの異物Ｙは、この傾斜面１７ａにより案内されながら、引っ掛かることなく石排出口８側へ向けてせり上がることとなる。
【００３０】
比重選別動作を行っている際には、選別スクリーン３の揺り上げ作用によって石寄せ部６に寄せられた異物Ｙや米Ｘにおいても後方の石排出口８側へせり上がろうとする力が働くため、石寄せ部６に寄せられた石などの異物Ｙは、石排出口８の上に止まっているのではなく、所定の範囲で循環する。しかしながら、この石抜装置３０においては、石寄せ部６の奥部に、石排出口８の排出幅と略同幅で両側の側板１、２が平行に配置されて石排出口よりも前側に延びる狭幅平行通路３１が形成されているため、石寄せ部６に寄せられた石などの異物Ｙは、狭幅平行通路３１と石排出口８上との極めて狭い領域に集められた状態で循環する（図２（ａ）において、矢印にて流れ状態を示す）。
【００３１】
したがって、比重選別を終えた後に石排出口８を所定時間開けて１回目の石排出動作を行うに際して、狭幅平行通路３１に溜まっていた石などの異物Ｙが石排出口８に移動するだけの短い時間だけ石排出口８を開けるだけで、狭幅平行通路３１に良好に集められた石などの異物Ｙが石排出口８から順次排出される。すなわち、石排出口８を短い時間しか開けなくても、石などの異物Ｙを石排出口８から排出させることができ、しかも石排出口８から排出する異物Ｙの残米Ｘに対する割合を高めることができて、石排出口８から排出される残米Ｘの量を減少させることができる。
【００３２】
またこの場合に、切起し舌片が形成されていないとともに下から送風を行わない石排出口８の長さＬ１と、切起し舌片が形成されているとともに下から送風されて石排出口８側へ米Ｘをせり上げようとする狭幅平行通路３１の長さＬ２とを合わせた寸法Ｌが、石排出口の排出幅寸法Ｈ１の１．５倍から２．５倍となるように狭幅平行通路３１が形成されているので、石などの異物Ｙがほぼ狭幅平行通路３１の範囲内だけで循環して、それよりも前側へ移動せず、上述のように石排出口８を短い時間しか開けなくても、石などの異物Ｙを良好に石排出口８から排出させることができるとともに、石排出口８から排出する異物Ｙの残米Ｘに対する割合を高めることができて、石排出口８から排出される残米Ｘの量を減少させることができる。
【００３３】
ここで、石排出口８を短い時間しか開けない構成としているため、石などの異物Ｙが多量にあった場合などには、石排出口８を開けて１回目の石排出動作を行って異物Ｙを排出し、その後、所定時間経過して石排出口８を閉じた際でも、一部の異物Ｙが残米回収用連通口１５の近傍に残ったり、循環していたりする場合がある。このような際に、石排出口８の閉鎖動作と同時に残米回収用連通口１５、１６を開けて残米回収動作を行うと、残米Ｘに異物Ｙが混じった状態で、残米回収用連通口１５、１６から回収されてしまうおそれがある。これに対処しようとして、石などの異物Ｙが多量にあった場合などでも、全ての異物Ｙを確実に排出できるように、石排出口８を開ける時間を延長すると、その分だけ多くの残米Ｘが石排出口８から排出されてしまうこととなる。
【００３４】
これに対して、石排出口８の閉鎖動作から所定時間経過するまで残米回収用連通口１５、１６を開けないように構成することで、前記石排出動作の際に排出されなかった異物Ｙが石排出口８ならびにその近傍箇所に寄せられる。この結果、その後に残米回収用連通口１５、１６を開けて残米回収動作を行った際には、異物Ｙが混じっていない残米Ｘだけが確実に回収されることとなる。また、石排出口８を開ける時間を延長していないため、多くの残米Ｘが石排出口８から排出されることもない。
【００３５】
この後、石排出口８を閉じた状態で残米回収用連通口１５、１６を所定時間開けて残米回収動作を行うことで、選別スクリーン３上に残っていた残米Ｘが残米回収用連通口１５、１６と残米排出スクリーン１１上の残米回収通路１８とを通って残米取出口１２から排出されて回収される。この際に、残米回収用連通口１５、１６には、従来のように石などの異物Ｙが引っ掛かっていたりすることがないため、石などの異物Ｙが混じることなく、残米Ｘだけが良好に回収される。
【００３６】
残米回収作業が終了して残米回収用連通口１５、１６を閉じた状態では、選別スクリーン３上における後側の残米回収用連通口１６よりも後方の領域においては残米Ｘが残っているため、その後、図３に示すように、石排出口８を所定時間開けて２回目の石排出動作を行うことで、選別スクリーン３上の残米Ｘを完全になくすことができる（選別スクリーン３上に異物Ｙが残っていた場合には、この異物Ｙも排出される）。そして、上述のように、狭幅平行通路３１が残米回収用連通口１６の近傍まで延設されているため、選別スクリーン３上における後側の残米回収用連通口１６よりも後方側の領域が、殆ど狭幅平行通路３１で占められ、その面積が小さいため、２回目の石排出動作により排出される残米Ｘの量も少量に抑えられる。なお、この２回目の石排出動作により排出された残米Ｘは、確実性を期すために廃棄してもよいが、この際に石などの異物Ｙが完全に混じらないことが確認されている場合には、この際の石排出口８から排出された残米Ｘを回収して使用してもよい。
【００３７】
また、上記実施の形態においては、引っ掛かり防止ガイド３２を設けることにより、側板２の厚み部分に異物Ｙが引っ掛かることを防止した場合を述べ、この場合には、従来の選別スクリーン３の側板１と同様なものを使用できる利点を有する。しかしながら、これに限るものではなく、図４に示すように、側板２、１９における残米回収用連通口１５、１６に臨む後方側の厚み部分に、石などの異物が引っ掛かることを防止する引っ掛かり防止ガイドとしての傾斜面２ａ、１９ａを形成しても同様の作用効果を得ることができる。
【００３８】
また、上記実施の形態においては、選別スクリーン３の側板１により、狭幅平行通路３１の形状をなすように構成したが、これに限るものではなく、図５に示すように、従来の選別スクリーン３の側板１と同様なものを使用しながら、別途に仕切板３５を設けることで従来技術の選別スクリーンを簡単に改造できるように構成してもよい。また、上記実施の形態においては、選別スクリーン３と残米排出スクリーン１１との境界部において、選別スクリーン３の側板２に残米排出スクリーン１１の側板１９を横に重ねて配置し、これらの側板２、１９の厚み部分を引っ掛かり防止ガイド３２で覆った場合を図示したが、このように側板２、１９が２枚重なっていなくてもよく、選別スクリーン３または残米排出スクリーン１１の何れか一方だけに境界部をなす側板を設けた場合においてもこの側板を引っ掛かり防止ガイド３２で覆うことで同様な作用効果を得ることができることはいうまでもない。さらに、上記実施の形態においては狭幅通路が平行である場合を述べたが、これに限るものではなく、上方ほど若干狭幅となるように構成したり、下方ほど若干狭幅となるように構成したりしても差し支えない。
【００３９】
【発明の効果】
以上のように本発明によれば、石寄せ部奥部に、石排出口排出幅と略同幅で両側の側板が略平行に配置されて石排出口よりも前側に延びる狭幅通路を形成したことにより、石などの異物を全て石排出口から排出させることができ、しかも石排出口から排出する異物の残米に対する割合を高めることができて、石排出口から排出される残米の量を減少させることができる。
【００４０】
また、狭幅通路を残米回収用連通口の近傍まで延設することにより、狭幅通路に石などの異物を確実に寄せることができるだけでなく、狭幅通路に寄せられる米を最小限に抑えることができ、この結果、石排出口から排出される残米の量を最小限に抑えることができる。
【００４１】
また、比重選別終了時に、一旦石排出口を開けて、その後に石排出口を閉じ、さらに石排出口の閉鎖動作から所定時間経過後に、残米回収用連通口を開けて残米回収動作を行うように構成することで、異物が多量にあった場合などでも、石排出口からの残米排出量を増加させたりすることなく、残米回収動作の際に異物が混じっていない残米だけを確実に回収することができる。
【００４２】
また、石排出口と狭幅通路とを合わせた前後方向の長さが、石排出口の排出幅寸法の１．５倍から２．５倍となるように狭幅通路を形成することにより、狭幅通路に石などの異物を確実に寄せて石などの異物を石排出口から確実に排出させることができるだけでなく、狭幅通路に寄せられる米を最小限に抑えることができ、この結果、石排出口から排出される残米の量を最小限に抑えることができる。
【００４３】
また、側板における残米回収用連通口に臨む厚み部分に石などの異物が引っ掛かることを防止する引っ掛かり防止ガイドを設けることにより、異物が残米に混じって残米回収通路に流れていくことを防止できるとともに、石排出口から排出する異物の残米に対する割合を高めることができる。
【図面の簡単な説明】
【図１】本発明の実施の形態にかかる石抜装置の平面図である。
【図２】（ａ）および（ｂ）は同石抜装置の異物や米の流れを示す要部平面図およびａ−ａ線矢視図である。
【図３】同石抜装置の石排出口や残米取出口などの開閉タイミングを示すためのタイムチャートである。
【図４】本発明の他の実施の形態にかかる石抜装置の異物や米の流れを示す要部平面図である。
【図５】本発明のその他の実施の形態にかかる石抜装置の平面図である。
【図６】従来の石抜装置の全体側面図である。
【図７】従来の石抜装置の平面図である。
【図８】従来の石抜装置の側面断面図である。
【図９】（ａ）および（ｂ）は従来の石抜装置の異物や米の流れを示す要部平面図およびｂ−ｂ線矢視図である。
【符号の説明】
１、２、１９      側板
２ａ、１９ａ      傾斜面
３                選別スクリーン
４                米取出口
６                石寄せ部
７                石排出シャッタ
８                石排出口
１１              残米排出スクリーン
１２              残米取出口
１３              ガイド板
１５、１６        残米回収用連通口
１７              残米取出シャッタ
３０              石抜装置
３１              狭幅平行通路
３２              引っ掛かり防止ガイド
３５              仕切板
【図１】
0004201460.tif 000002
【図２】
0004201460.tif 000003
【図３】
0004201460.tif 000004
【図４】
0004201460.tif 000005
【図５】
0004201460.tif 000006
【図６】
0004201460.tif 000007
【図７】
0004201460.tif 000008
【図８】
0004201460.tif 000009
【図９】
0004201460.tif 000010